(57)【要約】【課題】  本発明は、テレビジョン放送波によって送信された映像データとＩＰ化され配信されたテレビジョン放送波と同一内容の無線データとを受信し、スムーズに切替表示することが可能な受信装置及び受信方法を提供する。【解決手段】  受信装置１は、同一放送局の内容からなる無線データとテレビジョン放送とをそれぞれ受信すると、パケット処理部１４にて無線データとテレビジョン放送データの時間情報な差分を算出し、この差分情報に基づいてテレビジョン放送データに遅延処理を実行する。そして、テレビジョン放送受信部１２と無線ＬＡＮ受信部１３双方の受信状態を比較して、受信状態の良好なパケットデータに切替え、ＭＰＥＧ−ＴＳ信号として出力する。【選択図】  図３
2007274558.tif 000002
【特許請求の範囲】
【請求項１】
テレビジョン放送電波を受信する第１の受信部と、
無線通信による無線データを受信する第２の受信部と、
上記第１の受信部にてテレビジョン放送データを受信しかつ上記第２の受信部にて無線データを受信する際に、上記第１の受信部にて受信されたテレビジョン放送の内容と上記第２の受信部にて受信された無線データの内容とが同一放送局のものであるかを判定する内容判定手段と、
この内容判定手段により同一放送局のものであると判定されると、表示用データとして受信状態の良好な受信データに切り替え制御する切替制御部と、
を有することを特徴とする受信装置。
【請求項２】
上記切替制御部は、
上記内容判定手段により同一放送局のものであると判定されると、上記第１の受信部にて受信されたテレビジョン放送データと上記第２の受信部にて受信された無線データにそれぞれ含まれた時間を示すタイマ情報に基づいて差分を算出する差分算出手段と、
この差分算出手段により算出された差分情報に基づいて上記第１の受信部にて受信されたテレビジョン放送データに遅延処理を実行する遅延処理手段と、
受信状態に基づいて表示用データとして上記第２の受信部にて無線データあるいは上記遅延処理手段により遅延処理されたテレビジョン放送データのいずれかに切替える切替部と、
を有することを特徴とする請求項１記載の受信装置。
【請求項３】
受信状態に基づいて表示用データとして上記第２の受信部にて無線データあるいは上記遅延処理手段により遅延処理されたテレビジョン放送データのいずれを使用するかを決定する決定手段と、
この決定手段により上記第２の受信部にて無線データと決定されると、上記差分算出手段により算出された差分情報が基準値を超えるかを判定する差分判定手段と、
を更に有し、
上記切替部は、この差分判定手段により基準値を超えていないと判定された場合に上記遅延処理手段により遅延処理されたテレビジョン放送データから上記第２の受信部にて無線データへと切り替えを実施するものであることを特徴とする請求項２記載の受信装置。
【請求項４】
テレビジョン放送電波を受信する第１の受信部と、無線通信による無線データを受信する第２の受信部とを有する受信装置における受信方法において、
上記第１の受信部にてテレビジョン放送データを受信しかつ上記第２の受信部にて無線データを受信する際に、上記第１の受信部にて受信されたテレビジョン放送の内容と上記第２の受信部にて受信された無線データの内容とが同一放送局のものであるかを判定するステップと、
この判定ステップにより同一放送局のものであると判定されると、表示用データとして受信状態の良好な受信データに切り替え制御するステップと、
を有することを特徴とする受信方法。
【請求項５】
上記切替制御ステップは、
上記判定ステップにより同一放送局のものであると判定されると、上記第１の受信部にて受信されたテレビジョン放送データと上記第２の受信部にて受信された無線データにそれぞれ含まれた時間を示すタイマ情報に基づいて差分を算出するステップと、
この差分算出ステップにより算出された差分情報に基づいて上記第１の受信部にて受信されたテレビジョン放送データに遅延処理を実行するステップと、
受信状態に基づいて表示用データとして上記第２の受信部にて無線データあるいは上記遅延処理手段により遅延処理されたテレビジョン放送データのいずれかに切替えるステップと、
を有することを特徴とする請求項４記載の受信方法。
【請求項６】
受信状態に基づいて表示用データとして上記第２の受信部にて無線データあるいは上記遅延処理手段により遅延処理されたテレビジョン放送データのいずれを使用するかを決定するステップと、
この決定ステップにより上記第２の受信部にて無線データと決定されると、上記差分算出手段により算出された差分情報が基準値を超えるかを判定するステップと、
を更に有し、
上記切替ステップは、この差分判定ステップにより基準値を超えていないと判定された場合に上記遅延処理ステップにより遅延処理されたテレビジョン放送データから上記第２の受信部にて無線データへと切り替えを実施するものであることを特徴とする請求項４記載の受信方法。
【発明の詳細な説明】
【技術分野】
【０００１】
本発明は、テレビジョン放送波によって送信された映像データとＩＰ（Ｉｎｔｅｒｎｅｔ  Ｐｒｏｔｏｃｏｌ）化され配信されたテレビジョン放送波と同一内容の無線データとを受信し、スムーズに切替表示することが可能な受信装置及び受信方法に関する。
【背景技術】
【０００２】
近年、携帯端末にもテレビジョン放送用の受信装置が内蔵され、携帯端末にてテレビジョン放送番組を視聴できるようになってきた。また、テレビジョン放送もデジタル化が進み、テレビジョン放送波のみならず、ＩＰ化して配信する事業も考えられている。そこで、端末装置が存在する領域に応じて、テレビジョン放送の受信またはデータ通信による無線データの受信のいずれか一方を自動的に行う技術が考えられている（例えば、特許文献１参照）。
【特許文献１】特開２００５−２６０７５８公報
【発明の開示】
【発明が解決しようとする課題】
【０００３】
しかしながら、従来の装置では、テレビジョン放送あるいはデータ通信のいずれか一方が受信可能な領域からなるシステム環境のみを想定しており、テレビジョン放送およびデータ通信両方を受信可能な領域に携帯端末が存在した場合の処理について何ら考慮されていない。
本発明は、以上の点に鑑みなされたもので、テレビジョン放送波によって送信された映像データとＩＰ化され配信されたテレビジョン放送波と同一内容の無線データとを受信し、スムーズに切替表示できることが可能な受信装置及び受信方法を提供することを目的とする。
【課題を解決するための手段】
【０００４】
上記目的を達成するために、本発明の受信装置は、テレビジョン放送電波を受信する第１の受信部と、無線通信による無線データを受信する第２の受信部と、上記第１の受信部にてテレビジョン放送データを受信しかつ上記第２の受信部にて無線データを受信する際に、上記第１の受信部にて受信されたテレビジョン放送の内容と上記第２の受信部にて受信された無線データの内容とが同一放送局のものであるかを判定する内容判定手段と、この内容判定手段により同一放送局のものであると判定されると、表示用データとして受信状態の良好な受信データに切り替え制御する切替制御部と、を有することを特徴とする。
【０００５】
上記目的を達成するために、本発明の受信方法は、テレビジョン放送電波を受信する第１の受信部と、無線通信による無線データを受信する第２の受信部とを有する受信装置における受信方法において、上記第１の受信部にてテレビジョン放送データを受信しかつ上記第２の受信部にて無線データを受信する際に、上記第１の受信部にて受信されたテレビジョン放送の内容と上記第２の受信部にて受信された無線データの内容とが同一放送局のものであるかを判定するステップと、この判定ステップにより同一放送局のものであると判定されると、表示用データとして受信状態の良好な受信データに切り替え制御するステップと、を有することを特徴とする。
【発明の効果】
【０００６】
本発明によれば、テレビジョン放送波によって送信された映像データとＩＰ化され配信されたテレビジョン放送波と同一内容の無線データとを受信し、スムーズに切替表示することができる。
【発明を実施するための最良の形態】
【０００７】
以下、この発明の実施の形態について、図面を参照して詳細に説明する。図１は、本実施の形態に係る携帯型の受信装置１の主要構成を示すブロック図である。
【０００８】
図１に示す受信装置１は、主にテレビジョン放送受信部１２、無線ＬＡＮ受信部１３、パケット処理部１４、ＭＰＥＧ処理部１５、および制御部１８を少なくとも有する。受信装置１は、更にアンテナ１１、表示部（ＬＣＤパネル）１６およびスピーカ部１７を内蔵してもよく、また外付け装置として用いてもよい。
【０００９】
テレビジョン放送受信部１２は、制御部１８に接続されており、制御部１８の制御のもと、図示せぬテレビジョン放送局から放射され基地局等で中継されたテレビジョン放送電波をアンテナ１１を介して受信し、視聴者が指定したチャンネルへの選局処理、復調処理、同期検出、エラー訂正処理等を実施した後、パケット処理部１４へと出力する。また、テレビジョン放送受信部１２は、制御部１８によって後述するように受信感度などが監視されている。
【００１０】
無線ＬＡＮ受信部１３は、制御部１８に接続されており、制御部１８の制御のもと、図示せぬコンテンツ配信サーバ等から配信されるコンテンツデータからなる無線データを受信し、パケット処理部１４へと出力する。また、無線ＬＡＮ受信部１３は、制御部１８によって後述するように受信感度などが監視されている。
【００１１】
パケット処理部１４は、視聴者が選択した番組の映像、音声信号やデータ放送信号を視聴・使用可能なようにパケット処理し、ＭＰＥＧ処理部１５へと出力する。ＭＰＥＧ処理部１５は、パケット処理部１４から受信した信号をデコード処理し、デコード後の映像信号は表示部１６へと出力し、音声信号はスピーカ部１７へと出力する。表示部１６は、受信した映像信号を再生表示する。スピーカ部１７は、受信した音声出力を再生出力する。制御部１８は、図示せぬ制御用メモリを内蔵し、受信装置１全体の制御を司るものである。
【００１２】
図２は、パケット処理部１４の主要構成を示すブロック図である。図２に示すパケット処理部１４は、第１のクロック／タイマ再生部２１、差分処理部２２、遅延処理部２３、第２のクロック／タイマ再生部２４およびＴＳパケット切替部２５とから主に構成されている。
【００１３】
第１のクロック／タイマ再生部２１は、無線ＬＡＮ受信部１３から供給される無線データから同期信号やタイマ信号等を含むＰＣＲ（プログラムクロックリファレンス）データを検出し、差分処理部２２へ供給する。
【００１４】
差分処理部２２は、第１のクロック／タイマ再生部２１から供給された第１のＰＣＲデータを受信し、また第２のクロック／タイマ再生部２４から後述する第２のＰＣＲデータを受信する。そして、差分処理部２２は、第１および第２のＰＣＲデータを比較することにより差分情報を算出し、遅延処理部２３へと出力する。また、差分処理部２２は、算出した差分情報を制御部１８に供給する。
【００１５】
遅延処理部２３は、テレビジョン放送受信部１２から供給されるテレビジョン放送データを受信し、このテレビジョン放送データに対して、差分処理部２２から供給される差分情報に基づいて遅延処理を実行する。第２のクロック／タイマ再生部２４は、遅延処理部２３から供給される遅延処理されたテレビジョン放送データから第１のクロック／タイマ再生部２１と同様に、同期信号やタイマ信号等を含むＰＣＲデータを検出し、差分処理部２２へ出力する。
【００１６】
ＴＳパケット切替部２５は、無線ＬＡＮ受信部１３から無線データが供給され、遅延処理部２３から遅延処理されたテレビジョン放送データが供給される。ＴＳパケット切替部２５は、制御部１８からの制御信号を受信し、この制御信号の指示に基づいて、入力される無線データおよびテレビジョン放送データのいずれかに切替え制御する。そして、ＴＳパケット切替部２５は、切り替え制御の結果、選択されたデータをＭＰＥＧ−ＴＳ信号としてＭＰＥＧ処理部１５へと出力する。
【００１７】
図３は、このように構成された受信装置１における受信方法を示すフローチャート図である。図３に示す受信装置１は、無線ＬＡＮ受信部１３にて無線データを、テレビジョン放送受信部１２にてデジタルテレビジョン放送（以下、テレビジョン放送）をそれぞれ受信すると、制御部１８にて受信したテレビジョン放送データと無線データが同一放送局の内容であるかを判定する（ステップＳＴ１１）。
【００１８】
ＳＴ１１の判定の結果、同一放送局であると判定されると（ステップＳＴ１２のＹｅｓ）、制御部１８は、パケット処理部１４に対して同一放送局処理を実行する旨の指示信号を出力する。パケット処理部１４は、差分処理部２２によって、この指示信号を受信すると、第１および第２のクロック／タイマ再生部２１、２４にて受信した無線データとテレビジョン放送データとからＰＣＲ信号を検出し、このＰＣＲ信号に基づいてテレビジョン放送データと無線データとの時間情報の差分を算出する（ステップＳＴ１３）。
【００１９】
ここで、ＳＴ１３において最初に差分処理部２２が算出する差分とは、差分情報ゼロにて遅延処理部２３で遅延処理された、即ち全く遅延されていない第２のクロック／タイマ再生部２４のＰＣＲ信号が供給されることとなる。
【００２０】
パケット処理部１４は、続いて、ＳＴ１３で算出された差分情報に基づいて、テレビジョン放送データに遅延処理を実行する（ステップＳＴ１４）。そして、制御部１８は、テレビジョン放送受信部１２と無線ＬＡＮ受信部１３双方の受信状態を比較して、受信状態の良好な方に切替え選択する旨、切替え先を決定する（ステップＳＴ１５）。ＳＴ１５においては、例えば受信強度やエラーレート等の指標を参照して重要度等を勘案した所定の基準で比較することにより受信状態を判断している。
【００２１】
ＴＳパケット切替部２５は、ＳＴ１５における決定に基づいた制御部１８からの制御信号に基づいて、受信する２つの信号から、指示されたパケットデータを切替選択し、ＭＰＥＧ−ＴＳ信号として出力する（ステップＳＴ１６）。
【００２２】
これにより、本実施の形態では、無線データおよびテレビジョン放送データの双方にて同一放送局のコンテンツを受信している場合に、より受信感度のよいデータを画像表示用データとして選択して切り替えるため、ユーザは所在地などにより視聴が制限されることなく良好な視聴を継続することが可能となる。
【００２３】
図４は、図３に示す処理の変形例を示すフローチャート図である。本変形例においては、図３に示すフローチャート図とは、ＳＴ１５までの処理は同様であるため、説明を省略する。なお、本変形例においては、差分処理部２２より制御部１８に対して算出した差分情報が供給されるようになっている。
【００２４】
図４のＳＴ１５において、切り替え先を決定すると、制御部１８は、決定した切り替え内容が、テレビジョン放送データ（ＲＦ）から無線データ（ＩＰ）への切り替えであるか、無線データ（ＩＰ）からテレビジョン放送データ（ＲＦ）への切り替えであるかを判定する（ステップＳＴ２０）。
【００２５】
ＳＴ２０の判定の結果、無線データ（ＩＰ）からテレビジョン放送データ（ＲＦ）への切り替えであると判定すると（ステップＳＴ２１のＮｏ、ＳＴ２２のＹｅｓ）、制御部１８は、パケット処理部１４のＴＳパケット切替部２５に対して、ＳＴ１５における決定に基づいた制御部１８からの制御信号を出力する。ＴＳパケット切替部２５は、制御部１８からの制御信号に基づいて、無線データの選択からテレビジョン放送データへの選択に切替え制御し、ＭＰＥＧ−ＴＳ信号として出力する（ステップＳＴ２３）。
【００２６】
ＳＴ２０の判定の結果、テレビジョン放送データ（ＲＦ）から無線データ（ＩＰ）への切り替えであると判定すると（ＳＴ２１のＹｅｓ）、更に制御部１８は、差分処理部２２にて算出された差分に基づいて予め設定された基準値を超える遅延であるかを判定する（ステップＳＴ２４）。
【００２７】
ＳＴ２４の判定の結果、基準値を超える遅延であると判定されると（ステップＳＴ２５のＹｅｓ）、制御部１８は、ＳＴ１５での決定をパケット処理部１４に指示することなく、本処理を終了する。ＳＴ２４の判定の結果、基準値を超える遅延ではないと判定されると（ＳＴ２５のＮｏ）、制御部１８は、パケット処理部１４のＴＳパケット切替部２５に対して、ＳＴ１５における決定に基づいた制御部１８からの制御信号を出力する。
【００２８】
ＴＳパケット切替部２５は、制御部１８からの制御信号に基づいて、テレビジョン放送データの選択から無線データの選択へと切替え制御し、ＭＰＥＧ−ＴＳ信号として出力する（ステップＳＴ２６）。
【００２９】
これにより、テレビジョン放送データから無線データへと表示用データを切替える際に、遅延処理部にて対応（処理）できない遅延（差分）が生じている場合には、切替えないこととしている。従って、本変形例では、切り替えた際にユーザに対して表示画像のひずみなどが生じてしまい、視聴に影響が生じるような切替えは抑制することが可能となり、ユーザによる視聴に違和感が生じない範囲で表示用データの切替えを実施し、ユーザは良好な視聴を継続することが可能となる。
【図面の簡単な説明】
【００３０】
【図１】本発明に係る携帯型の受信装置１の主要構成を示すブロック図。
【図２】パケット処理部１４の主要構成を示すブロック図。
【図３】受信装置１における受信方法を示すフローチャート図。
【図４】図３に示す処理の変形例を示すフローチャート図
【符号の説明】
【００３１】
１    受信装置
１２    テレビジョン放送受信部
１３    無線ＬＡＮ受信部
１４    パケット処理部
１５    ＭＰＥＧ処理部
１８    制御部
２１    （第１の）クロック／タイマ再生部
２２    差分処理部
２３    遅延処理部
２４    （第２の）クロック／タイマ再生部
２５    ＴＳパケット切替部
【図１】
2007274558.tif 000003
【図２】
2007274558.tif 000004
【図３】
2007274558.tif 000005
【図４】
2007274558.tif 000006